(57)【要約】【課題】端子の挿入を容易にして誤挿入を防止し、組付け作業性を改善することができる計器装置を提供する。【解決手段】一側縁にそれぞれが平行になるよう延設された複数の端子５３を備えた表示素子５２と、この表示素子５２が先端側６４に保持され、且つ端子５３が収納される端子収納部７０を具備するハウジング６０と、このハウジング６０の基端側６３が固定される本体１０を備えた計器装置に、ハウジング６０の外側面６５に沿って先端側６４から基端側６３に向かって形成された端子収納部７０には、孔部７１と配索部７５とから構成され、孔部７１には、挿通孔入口７３が広く、挿通孔出口７４が狭いテーパー形状を具備する端子挿通孔７２が端子５３の数だけ設けられて、各端子５３が別々に挿入され、配索部７５には、各端子挿通孔７２を仕切る壁から延設されたスリット７６を設ける。【選択図】図２
2005326286.tif 000002
【特許請求の範囲】
【請求項１】
一側縁にそれぞれが平行になるよう延設された複数の端子を備えた表示素子と、
この表示素子が先端側に保持され、且つ該端子が収納される端子収納部を具備するハウジングと、このハウジングの基端側が固定される本体を備えた計器装置であって、
前記ハウジングの外側面に沿って前記先端側から前記基端側に向かって形成された前記端子収納部は、孔部と配索部とから構成され、
該孔部には、挿通孔入口が広く、挿通孔出口が狭いテーパー形状を具備する端子挿通孔が前記端子の数だけ設けられて、各端子が別々に挿入され、
該配索部には、各端子挿通孔を仕切る壁から延設されたスリットが設けられたことを特徴とする計器装置。
【請求項２】
請求項１に記載の計器装置において、
前記配索部は、前記端子収納部の前記ハウジング先端側に、
前記孔部は、前記端子収納部の該ハウジングの基端側に形成されたことを特徴とする計器装置。
【請求項３】
請求項１、または請求項２に記載の計器装置において、
前記端子収納部の前記ハウジング先端側端面に配索溝が設けられたことを特徴とする計器装置。
【請求項４】
請求項１〜請求項３のいずれか１項に記載の計器装置において、
前記ハウジングと一体に形成され、前記端子挿通孔を構成する第１端子挿通孔を有する第１孔部と前記配索部とを具備する第１端子収納部と、
前記本体と一体に形成され、該端子挿通孔を構成する第２端子挿通孔を有する第２孔部を具備する第２端子収納部とから前記端子収納部が構成されたことを特徴とする計器装置。
【発明の詳細な説明】
【技術分野】
【０００１】
本発明は、各種機器の計測された情報、および警告表示などを行う計器装置に関するものである。
【背景技術】
【０００２】
この種の計器装置としては、特許文献１に開示されたものがある。この計器装置は、一側縁に端子が設けられたＬＣＤを有し、該ＬＣＤをプリズムのホルダ部に取り付けると共に、端子をコネクタハウジングに収納されたコネクタに挿入してＬＣＤを組付ける構造において、コネクタハウジングには端子導入部を形成し、ホルダ部に対してＬＣＤを傾斜させた状態で端子を端子導入部からコネクタに挿入し、ＬＣＤをホルダ部にセットした状態において、端子の反力でＬＣＤとホルダ部との間に面圧力を発生せしめて固定したことにより、ＬＣＤを確実に固定できるので、部品点数を減らしつつ、オドトリップ装置の自動組立てを可能にしたものである。
【特許文献１】特開平１１−１４３９７号公報
【発明の開示】
【発明が解決しようとする課題】
【０００３】
ところが、上記構成のＬＣＤのように脚の長い複数の端子が並列に密集して配設された部品をコネクタに接続する際には、組立作業中に端子が撓み、各端子先端が所定の端子受部に挿入されなかったり、端子受部にまっすぐ挿入しないと所定の端子受部に挿入できなかったりと、端子を所定の端子受部に挿入することが困難なため、組付け作業性を改善すること求められていた。
【０００４】
そこで本発明は、上記事情を考慮し、端子の挿入を容易にして誤挿入を防止し、組付け作業性を改善することができる計器装置を提供することを目的とする。
【課題を解決するための手段】
【０００５】
請求項１の発明は、一側縁にそれぞれが平行になるよう延設された複数の端子を備えた表示素子と、この表示素子が先端側に保持され、且つ該端子が収納される端子収納部を具備するハウジングと、このハウジングの基端側が固定される本体を備えた計器装置であって、前記ハウジングの外側面に沿って先端側から基端側に向かって形成された端子収納部には、孔部と配索部とから構成され、該孔部には、挿通孔入口が広く、挿通孔出口が狭いテーパー形状を具備する端子挿通孔が前記端子の数だけ設けられて、各端子が別々に挿入され、該配索部には、各端子挿通孔を仕切る壁から延設されたスリットが設けられたことを特徴とする。
【０００６】
請求項２の発明は、請求項１に記載の計器装置において、前記配索部は、前記端子収納部の前記ハウジング先端側に、前記孔部は、前記端子収納部の該ハウジングの基端側に形成されたことを特徴とする。
【０００７】
請求項３の発明は、請求項１、または請求項２に記載の計器装置において、前記端子収納部の前記ハウジング先端側端面に配索溝が設けられたことを特徴とする。
【０００８】
請求項４の発明は、請求項１〜請求項３のいずれか１項に記載の計器装置において、前記ハウジングと一体に形成され、前記端子挿通孔を構成する第１端子挿通孔を有する第１孔部と前記配索部とを具備する第１端子収納部と、前記本体と一体に形成され、該端子挿通孔を構成する第２端子挿通孔を有する第２孔部を具備する第２端子収納部とから前記端子収納部が構成されたことを特徴とする。
【発明の効果】
【０００９】
請求項１の発明によれば、端子の先端部分をスリットに入れてから挿通孔に端子を挿入することができるので、端子の挿入作業を容易にし、組立作業性を改善することができる。
【００１０】
また、端子収納部の一部が配索部となっていることにより、端子が露出しているので、端子の配索状態を目視確認することができ、誤挿入を防止することができる。
【００１１】
請求項２の発明によれば、端子をコネクタに挿入する際に、端子が撓もうとしても、端子挿通孔の壁によって端子の撓みが抑制されるので、組付け作業中に端子を折ったり、曲げたりすることを防止することができる。
【００１２】
請求項３の発明によれば、配索溝に端子を沿わせつつ、端子の先端を挿通孔に挿入することが可能になるので、さらに誤挿入を防止することができ、組立作業性を改善することができる。
【００１３】
請求項４の発明によれば、端子収納部が第１端子収納部と第２端子収納部とから構成され、第１端子収納部と第２端子収納部のそれぞれに第１端子挿通孔と第２端子挿通孔が設けられていることにより、端子収納部を射出成形する際に、必要となる抜き勾配による端子収納部の大型化を防止し、計器装置全体のデザインの自由度を向上することができる。
【発明を実施するための最良の形態】
【００１４】
以下、本発明の実施形態を図面を参照しながら説明する。図１は本実施形態の計器装置の正面図、図２は図１のＡ−Ａ線に沿った断面図、図３は図１のＢ−Ｂ線に沿った断面図、図４は図２の要部拡大図、図５は（ａ）が図２のＣ−Ｃ線に沿ったハウジングの断面図、（ｂ）が図２のＤ−Ｄ線に沿ったハウジングの断面図である。
【００１５】
本実施形態の計器装置１は、車室内前方に位置するインストルメントパネル１００に配置され、車両の各種情報を表示し、乗員に報知する車両用計器装置である。この計器装置１は、図１、図２に示されるように、本体１０と、この本体１０の背面側に配設される回路基板２０と、本体１０の表面側に配設される主表示器３１を有する主表示部３０と、本体１０の表面側にハウジング６０によって本体１０の正面に向かって突設され、且つ主表示器３１よりも小さな補助表示器５１を有する補助表示部５０とから主に構成されている。なお、計器装置１の前面には、透視材で成型され、計器装置１の全体を覆うように透視カバー８０が設置され、主表示部３０の視認性を損なうことなく主表示部３０を保護している。
【００１６】
本体１０は、様々な素子が収容される収容部と、照明用光源２２が収納される光源収納室１１とが本体１０の各所に適宜設けられている。そして、光源収納室１１には、後述の出力軸３５が貫通するとともに、回路基板２０上に設置される照明用光源２２からの光線が通過する主表示光誘導口１３と、照明用光源２２からの光線が通過する補助表示光誘導口１４とが設けられている。また、本体１０は、白色の樹脂で成型され、光源収納室１１の内面には反射した光を散乱するように散乱面１２が一体に形成されている。
【００１７】
主表示部３０には、その中央部に主表示器として、車両の速度を表示する指針式のスピードメータ３１が配置され、このスピードメータ３１の文字盤３３の外周部分、と内周部分に様々な警告灯３６などが配置されている。
【００１８】
補助表示部５０には、補助表示器として、透過光式の表示素子であるＬＣＤ５２（Ｌｉｑｕｉｄ  Ｃｒｙｓｔａｌ  Ｄｉｓｐｌａｙ：液晶ディスプレイ）が用いられている。このＬＣＤ５２には、燃料残量計５４、時計５５、走行距離５６、ギアポジション５７などが表示される。
【００１９】
回路基板２０には、主表示部３０に設置されるスピードメータ３１の計器ユニット３２、様々な警告灯３６を点灯する警報用光源２３、これら計器ユニットおよび光源を制御する制御回路、補助表示部５０に設置されるＬＣＤ５２、ＬＣＤ５２に表示される各種情報の入力信号を表示素子用に変換する回路、そして、これら主表示部３０、補助表示部５０を背面側から照し出す照明用光源２２などが設置されている。照明用光源である指針用光源２２ａは、回路基板２０の計器ユニット３２が設置される周辺に設置され、照明用光源である補助表示器用光源２２ｂは、補助表示光誘導口１４の中央部にあたる回路基板２０上に設置されている。
【００２０】
スピードメータ３１は、計器ユニット３２と、文字盤３３と、指針４０とから構成されている。計器ユニット３２は、計器ユニット３２に設けられた出力軸３５が、回路基板２０と本体１０を貫通して主表示部３０表面に突設されるように、回路基板２０の裏面側に設置されている。
【００２１】
文字盤３３は、本体１０の表面側に設置され、出力軸３５を中心とする円弧上に目盛３４と指標となる数字が設けられており、目盛３４の外周と内周には、各種警告灯が設けられている。
【００２２】
指針４０は、錐体形状を有する指示部４１と、指針カバー４６と導光部４４と保持部４５からなる基部４２とから構成されている。指針４０は保持部４５で計器ユニット３２の出力軸３５に固定される。指針カバー４６は、出力軸３５を中心軸とする錐体形状を備えるとともに、導光部４４と一体に形成されており、指針４０の出力軸３５への取付作業は、基部４２の指針カバー４６を持って行なわれる。
【００２３】
そして、計器ユニット３２が、入力信号を所定の回転角度に変換し、計器ユニット３２に設けられた出力軸３５を回転させる。そして、出力軸３５に固定された指針４０が、出力軸３５の回転にあわせて文字盤３３上を揺動することで車速を表示している。
【００２４】
補助表示部５０は、一側縁にそれぞれが平行になるよう延設された複数の端子５３を備えたＬＣＤ５２と、このＬＣＤ５２が先端側６４に保持され、且つ端子５３が収納される端子収納部７０を具備するハウジング６０と、回路基板２０上に形成され、回路基板２０上に形成され、ＬＣＤ５２を制御する制御回路（不図示）とから主に構成されている。
【００２５】
ハウジング６０は、白色の樹脂で成型され、内部に散乱面６２からなる導光路６１が形成される矩形断面の筒形状を備え、補助表示光誘導口１４の開口縁から光源からの光が漏れないように基端側６３が補助表示光誘導口１４の開口縁に固定されている。また、ハウジング６０は、その側壁６６が指針４０の基部４２の外周面４３に沿って形成されているとともに、基端側６３から先端側６４に向かって断面積が徐々に大きくなるように形成されている。そして、ハウジング６０の先端側６４には、ＬＣＤ５２が取付けられている。
【００２６】
ハウジング６０には、ハウジング６０の外側面６５に沿って先端側６４から基端側６３に向かって第１端子収納部７０ａが一体に形成されている。第１端子収納部７０ａは、第１孔部７１と配索部７５とから構成され、第１孔部７１は、第１端子収納部７０ａのハウジング６０の基端側６３に、配索部７５は、第１端子収納部７０ａのハウジング６０先端側６４にそれぞれ形成されている。
【００２７】
また、第１孔部７１には、端子挿通孔７２を構成し、挿通孔入口７３が広く、挿通孔出口７４が狭いテーパー形状を具備する第１端子挿通孔７２ａが端子５３の数だけ設けられて、各端子５３が別々に挿入され、配索部７５には、各第１端子挿通孔７２ａを仕切る壁が延設されたスリット７６が設けられている。さらに、端子収納部７０のハウジング６０先端側端面６７に配索溝６８が設けられている。
【００２８】
第２端子収納部７０ｂは、第１端子収納部７０ａとは異なり、本体１０と一体に設けられている。第２端子収納部７０ｂには、第２孔部７７が設けられており、この第２孔部７７には、端子挿通孔７２を構成する第２端子挿通孔７２ｂが端子５３の数だけ設けられ、各端子５３が別々に挿入される。
【００２９】
そして、補助表示部５０は、第１端子収納部７０ａの第１端子挿通孔７２ａから突出した端子５３先端部を第２端子収納部７０ｂの第２孔部７７に形成された第２端子挿通孔７２ｂに通しつつ、回路基板２０に設けられたコネクタ２１に差込むことで、回路基板２０上に形成された制御回路の制御信号がＬＣＤ５２に出力される。なお、ＬＣＤ５２は、まず本体１０の背面側に回路基板２０を取付け、ハウジング６０を本体１０の表面側に取付けたあとで、ハウジング６０にＬＣＤ５２を取付けつつ、コネクタ２１に端子５３を挿入する手順で組付けられる。
【００３０】
照明用光源である指針用光源２２ａと補助表示器用光源２２ｂとから照射されて散乱面１２で乱反射した光線が、主表示光誘導口１３と補助表示光誘導口１４を通じて、光源収納室１１の外に配置されるスピードメータ３１の指針４０と補助表示器のＬＣＤ５２にそれぞれに照射される。
【００３１】
主表示光誘導口１３を通じて、指針４０の保持部４５から入射した光線は、導光部４４で反射し、指示部４１内を乱反射しながら指示部４１の先端に向かって進み、指示部４１を照らし出している。
【００３２】
また、補助表示光誘導口１４を通じて入射した光線は、導光路６１内の散乱面６２で乱反射しつつ、ＬＣＤ５２の背面に入射し、ＬＣＤ５２の表示内容を照らし出している。そして、補助表示器用光源２２ｂには、ＬＣＤ５２との間に遮光部６９が設けられているので、補助表示器用光源２２ｂから照射された光線は、ＬＣＤ５２に直射光ではなく、光源収納室１１で乱反射した散乱光となって補助表示光誘導口１４を通じて照射される。
【００３３】
端子５３の先端部分をスリット７６に入れてから端子挿通孔７２に端子５３を挿入することができるので、端子５３の挿入作業を容易にし、組立作業性を改善することができる。
【００３４】
また、端子収納部７０の一部が配索部７５となっていることにより、端子５３が露出しているので、端子５３の配索状態を目視確認することができ、誤挿入を防止することができる。
【００３５】
端子５３をコネクタ２１に挿入する際に、端子５３が撓もうとしても、端子挿通孔７２の壁によって端子５３の撓みが抑制されるので、組付け作業中に端子を折ったり、曲げたりすることを防止することができる。
【００３６】
配索溝６８に端子５３を沿わせつつ、端子５３の先端を端子挿通孔７２に挿入することが可能になるので、さらに誤挿入を防止することができ、組立作業性を改善することができる。
【００３７】
さらに、端子収納部７０が第１端子収納部７０ａと第２端子収納部７０ｂとから構成され、第１端子収納部と第２端子収納部のそれぞれに第１端子挿通孔７２ａと第２端子挿通孔７２ｂが設けられていることにより、端子収納部７０を射出成形する際に、必要となる抜き勾配による端子収納部７０の大型化を防止し、計器装置１全体のデザインの自由度を向上することができる。
【００３８】
なお、本体１０の背面側には、回路基板２０を覆うように形成された背面カバー９０が設けられている。
【００３９】
また、計器装置１の前面の本体１０外周縁と補助表示部５０外周縁との間の部位が、透視材によって成形され、且つその母線が本体１０に向かって凸形状の曲線からなる立体外面で形成された透視カバー８０によって覆われており、表示部の視認性を損なうことなく表示部が保護されている。
【図面の簡単な説明】
【００４０】
【図１】本実施形態の計器装置の正面図である。
【図２】図１のＡ−Ａ線に沿った断面図である。
【図３】図１のＢ−Ｂ線に沿った断面図である。
【図４】図２の要部拡大図である。
【図５】（ａ）は図２のＣ−Ｃ線に沿ったハウジングの断面図、（ｂ）は図２のＤ−Ｄ線に沿ったハウジングの断面図である。
【符号の説明】
【００４１】
１…計器装置
１０…本体
１１…光源収納室
１３…主表示光誘導口
１４…補助表示光誘導口
２０…回路基板
２２…照明用光源
２２ａ…指針用光源
２２ｂ…補助表示器用光源
３０…主表示部
３１…主表示器
３２…計器ユニット
３３…文字盤
３５…出力軸
４０…指針
４２…基部
４３…外周面
５０…補助表示部
５１…補助表示器
５２…表示素子
５３…端子
６０…ハウジング
６１…導光路
６３…基端側
６４…先端側
６５…外側面
６６…側壁
６７…先端側端面
６８…配索溝
６９…遮光部
７０…端子収納部
７１…孔部
７２…端子挿通孔
７３…挿通孔入口
７４…挿通孔出口
７５…配索部
７６…スリット
８０…透視カバー
９０…背面カバー
９１…突起
【図１】
2005326286.tif 000003
【図２】
2005326286.tif 000004
【図３】
2005326286.tif 000005
【図４】
2005326286.tif 000006
【図５】
2005326286.tif 000007